(57)【要約】【課題】記録装置において、記録に必要な空き容量を確保するために消去するデータを容易に指示することができるようにする。【解決手段】記録装置において、データを記録する記録媒体の記録可能な残容量及び記録媒体に記録されている各既存データの容量を取得する記録容量取得手段（ステップ２）と、記録媒体に記録されるソースとなるソースデータの容量を取得するソースデータ容量取得手段（ステップ１）と、ソースデータ容量取得手段が取得したソースデータ容量並びに記録容量取得手段が取得した残容量及び各既存データの容量に基づき、記録媒体に対して各既存データを消去してからソースデータの記録を実行する場合に、記録媒体における残容量が少なくなる順に前記データの順位付けを行う順位付け手段（ステップ５）とを設ける。【選択図】図２
2008226403.tif 000002
【特許請求の範囲】
【請求項１】
データを記録する記録媒体における記録可能な残容量及び前記記録媒体に記録されている各既存データの容量を取得する記録容量取得手段と、
前記記録媒体に記録されるソースとなるソースデータの容量を取得するソースデータ容量取得手段と、
前記ソースデータ容量取得手段が取得したソースデータ容量並びに前記記録容量取得手段が取得した残容量及び各既存データの容量に基づき、前記記録媒体に対して各既存データを消去してから前記ソースデータの記録を実行する場合に、前記記録媒体における残容量が少なくなる順に前記データの順位付けを行う順位付け手段とを具備することを特徴とする記録装置。
【請求項２】
前記順位付け手段により順位付けされるデータは、ファイル、ファイルの組合せ、フォルダ、又は定義されているアルバムに属する全ファイルのうちから選択される１又は２以上の組合せであることを特徴とする請求項１に記載の記録装置。
【請求項３】
前記順位付け手段により順位付けされた結果に基づき、前記データの選択を受け入れる選択手段と、
前記選択手段により選択された前記データを消去して、前記ソースデータを前記記録媒体に記録するデータ交換手段とを具備することを特徴とする請求項１又は２のいずれかに記載の記録装置。
【請求項４】
前記順位付け手段による順位付け及び前記選択手段による選択の対象となり得るデータが属するフォルダ又はアルバムを指定する指定手段を備え、
前記順位付け手段及び選択手段は、前記指定手段により指定されたフォルダ又はアルバムに属するデータのみを対象として、前記順位付け及び選択の受入れを行うものであることを特徴とする請求項３に記載の記録装置。
【請求項５】
請求項１〜４のいずれかの記録装置における各手段としてコンピュータを機能させることを特徴とするプログラム。
【請求項６】
データを記録する記録媒体の記録可能な残容量及び前記記録媒体に記録されている各既存データの容量を取得する記録容量取得工程と、
前記記録媒体に記録されるソースとなるソースデータの容量を取得するソースデータ容量取得工程と、
前記ソースデータ容量取得工程において取得したソースデータ容量並びに前記記録容量取得工程において取得した残容量及び各既存データの容量に基づき、前記記録媒体に対して各既存データを消去してから前記ソースデータの記録を実行する場合に、前記記録媒体における残容量が少なくなる順に前記データの順位付けを行う順位付け手段とを具備することを特徴とする記録方法。
【発明の詳細な説明】
【技術分野】
【０００１】
本発明は、ソースデータに基づき、記録媒体への記録を行う記録装置、該記録装置としてコンピュータを機能させるプログラム、及びソースデータに基づき、記録媒体への記録を行う記録方法に関する。
【背景技術】
【０００２】
従来、記録装置において、ソースデータに基づき、記録媒体への録音や録画を行う場合に、記録媒体に空きがないときには、記録媒体内のデータを消去し、必要な空き容量を確保してから録音や録画を実施することが行なわれている。その場合、データの消去は、ユーザが、確保すべき空き容量や、それに見合った容量のデータを調べてから行う必要がある。
【０００３】
また、空き容量を増やすためのデータ消去に関する技術として、データの消去が指示された場合、そのデータが再記録が可能なタイプのものであるかどうかに応じて、異なる処理を行うようにしたものも知られている（たとえば特許文献１参照）。この技術においては、たとえば、オリジナルなデータであるため、消去された場合に再記録が不能となるようなデータについてはなるべく消去されないようにし、逆に、他のディスク等から複写記録された再記録可能なデータについては優先的に消去することができるようにしている。
【０００４】
【特許文献１】特開２００１−１７５５１７号公報
【発明の開示】
【発明が解決しようとする課題】
【０００５】
しかしながら、上記従来技術によれば、再記録が可能なデータが優先的に消去される場合であっても、消去すべきデータをユーザが特定して消去する場合には、やはり、ユーザが、記録媒体に残されている空き容量、記録するソースデータの容量、消去対象となり得る各データの容量等を考慮して判断し、消去すべきデータを指示しなければならない。
【０００６】
本発明の目的は、このような従来技術の問題点に鑑み、記録装置において、記録に必要な空き容量を確保するために消去するデータを容易に指示することができるようにすることにある。
【課題を解決するための手段】
【０００７】
この目的を達成するため、第１の発明に係る記録装置は、データを記録する記録媒体における記録可能な残容量及び前記記録媒体に記録されている各既存データの容量を取得する記録容量取得手段と、前記記録媒体に記録されるソースとなるソースデータの容量を取得するソースデータ容量取得手段と、前記ソースデータ容量取得手段が取得したソースデータ容量並びに前記記録容量取得手段が取得した残容量及び各既存データの容量に基づき、前記記録媒体に対して各既存データを消去してから前記ソースデータの記録を実行する場合に、前記記録媒体における残容量が少なくなる順に前記データの順位付けを行う順位付け手段とを具備することを特徴とする。
【０００８】
ここで、記録媒体としては、たとえば、ＵＳＢメモリ、メモリカード、ポータブルプレーヤに内蔵され又は接続されたメモリ等の外部メモリが該当する。ソースデータとしては、たとえば、楽曲コンテンツや映像コンテンツのデータが該当する。
【０００９】
この構成において、ソースデータに基づいて記録媒体への記録を行う場合、記録媒体の残容量、ソースデータ容量、及び各既存データの容量が取得される。これらの取得データに基づき、各既存データについて、それを消去してから記録媒体への記録を実行したと仮定した場合の記録媒体において存在する残容量が少ない順に順位付けが行われる。したがって、ユーザは順位付けの結果を参照し、順位が高く、かつ消去しても不都合のない既存データを容易に選択することができる。
【００１０】
第２の発明に係る記録装置は、第１発明において、前記順位付け手段により順位付けされるデータは、ファイル、ファイルの組合せ、フォルダ、又は定義されているアルバムに属する全ファイルのうちから選択される１又は２以上の組合せであることを特徴とする。
【００１１】
第３の発明に係る記録装置は、第１又は第２発明において、前記順位付け手段により順位付けされた結果に基づき、前記データの選択を受け入れる選択手段と、前記選択手段により選択された前記データを消去して、前記ソースデータを前記記録媒体に記録するデータ交換手段とを具備することを特徴とする。
【００１２】
第４の発明に係る記録装置は、第３発明において、前記順位付け手段による順位付け及び前記選択手段による選択の対象となり得るデータが属するフォルダ又はアルバムを指定する指定手段を備え、前記順位付け手段及び選択手段は、前記指定手段により指定されたフォルダ又はアルバムに属するデータのみを対象として、前記順位付け及び選択の受入れを行うものであることを特徴とする。
【００１３】
第５の発明に係るプログラムは、第１〜第４のいずれかの発明に係る記録装置における各手段としてコンピュータを機能させることを特徴とする。
【００１４】
第６の発明に係る記録方法は、データを記録する記録媒体の記録可能な残容量及び前記記録媒体に記録されている各既存データの容量を取得する記録容量取得工程と、前記記録媒体に記録されるソースとなるソースデータの容量を取得するソースデータ容量取得工程と、前記ソースデータ容量取得工程において取得したソースデータ容量並びに前記記録容量取得工程において取得した残容量及び各既存データの容量に基づき、前記記録媒体に対して各既存データを消去してから前記ソースデータの記録を実行する場合に、前記記録媒体における残容量が少なくなる順に前記データの順位付けを行う順位付け手段とを具備することを特徴とする。
【発明の効果】
【００１５】
本発明によれば、記録媒体中に既に存在する各既存データについて、それを消去してから記録媒体へのソースデータの記録を実行したと仮定した場合の記録媒体において存在する残容量が少ない順に順位付けを行うようにしたため、ユーザは、提示された順位付けの結果を参照しながら、記録に必要な空き容量を確保するために消去すべき既存データを、容易に選択することができる。
【発明を実施するための最良の形態】
【００１６】
図１は、本発明の一実施形態に係る録音再生装置の構成を示すブロック図である。同図に示すように、この装置は、ＣＤを再生して再生信号を出力するＣＤメカ部１１、及びＣＤメカ部１１から入力される信号に対し、符号化や復号化等の信号処理を施すデジタル・シグナル・プロセッサ（以下、「ＤＳＰ」という。）１２を備える。ＤＳＰ１２が処理した信号は、ＵＳＢメモリ１３やメモリカード１４に出力される。ＤＳＰ１２と、ＵＳＢメモリ１３及びメモリカード１４との間には、それぞれの間のインタフェースとして機能するＵＳＢコントローラ１５及びメモリカードスロット１６が設けられている。
【００１７】
録音再生装置には、ＤＳＰ１２が処理した信号に基づいて音声を出力するために、ＤＳＰ１２が出力するデジタル音声信号をアナログ音声信号に変換するＤＡコンバータ１７、ＤＡコンバータ１７からのアナログ信号を増幅するアンプ部１８、及びアンプ部１８で増幅された信号を音声に変換するスピーカ１９が設けられている。また、装置全体を制御するために、システムマイコン２０が設けられている。システムマイコン２０には、システムマイコン２０からの画像信号に基づく表示を行う表示部２１、及びシステムマイコン２０に対してユーザが指示を与えるための操作部２２が接続されている。表示部２１及び操作部２２は、ユーザインタフェースを構成する。操作部２２には録音開始の指示を受け入れるための録音キーや、録音停止の指示を受け入れるための停止キーが設けられている。また、楽曲ファイル等が記録されたハードディスク２３が設けられている。
【００１８】
システムマイコン２０はユーザからの指示に基づき、ＣＤメカ部１１、ＤＳＰ１２、ハードディスク２３等を制御し、ＣＤメカ部１１、ハードディスク２３、ＵＳＢメモリ１３、メモリカード１４等からの信号に基づく音声の出力や、これらの信号に基づくＵＳＢメモリ１３やメモリカード１４への記録等を行う。ＤＳＰ１２はその際に、ＣＤメカ部１１や、ハードディスク２３、ＵＳＢコントローラ１５、メモリカードスロット１６等の間に介在し、これらの間で送受される信号についてのエンコードやデコード等の必要な信号変換処理を行う。なお、ハードディスク２３からのＭＰ３形式等の楽曲データをＵＳＢメモリ１３又はメモリカード１４に記録する場合には、ＤＳＰ１２は楽曲データをそのままのデータ形式でＵＳＢメモリ１３又はメモリカード１４に送出することができる。
【００１９】
システムマイコン２０はまた、ＵＳＢメモリ１３又はメモリカード１４の記録媒体に対し、ハードディスク２３中のＭＰ３形式等の楽曲データを録音ソースとして録音を行う旨の指示が与えられた場合、記録媒体の残容量が足りないときには、記録媒体中に記録されている各データについて消去を推奨する順位を設定した削除ランキング表を表示し、ユーザが削除ランキング表から消去するデータを選択することができるようにしている。消去を推奨する順位は、録音ソースのデータ量、記録媒体における空き容量、及び記録媒体に記録されている各データのデータ量に基づき、各データを消去して録音を行ったと仮定した場合に記録媒体に残るであろう空き容量が少ない順位となるように設定される。空き領域が残らないデータは、削除しても録音に必要な空き領域を確保することができないので、選択の対象とはならない。
【００２０】
図２はシステムマイコン２０による録音処理を示すフローチャートである。この処理はＵＳＢメモリ１３又はメモリカード１４の記録媒体に対し、ハードディスク２３中のＭＰ３形式等の楽曲データを録音ソースとして録音を行う旨の指示が与えられた場合に行われる。この指示には、ＵＳＢメモリ１３又はメモリカード１４のいずれの記録媒体に対して録音を行うのか、及びハードディスク２３中のどの楽曲データを録音ソースとするのかについての指示が含まれる。
【００２１】
録音処理を開始すると、システムマイコン２０は、まず、ステップ１において、録音ソースのデータ量を確認する。データ量は、録音の指示がなされた楽曲データが複数である場合には、それらの楽曲データについて合計したものとなる。次に、ステップ２において記録媒体の残容量を確認する。
【００２２】
次に、ステップ３において、録音ソースのデータ量が記録媒体の残容量よりも大きいかどうかの判定を行う。大きくはないと判定した場合には、録音に支障がないので、そのままステップ８へ進み、録音ソースのデータを記録媒体へ記録し、録音処理を終了する。
【００２３】
一方、ステップ３において、録音ソースのデータ量が記録媒体の残容量よりも大きいと判定した場合には、ステップ４に進み、記録媒体中の既存の楽曲データを消去するかどうかの指示を受け入れ、消去の指示があったかどうかを判定する。消去の指示がなかったと判定した場合には、録音を行うことができないので、そのまま録音処理を終了する。消去の指示があったと判定した場合には、ステップ５へ進み、上述の消去を推奨する順にデータをリストアップした削除ランキング表の表示を行う。
【００２４】
次に、ステップ６において、削除ランキング表中の楽曲データのうち、消去すべきものの選択を受け入れ、選択があったかどうかを判定する。選択がなかったと判定した場合には、録音を行うことができないので、そのまま、録音処理を終了する。選択があったと判定した場合には、ステップ７において、選択された楽曲データを消去してからステップ８へ進み、録音ソースのデータを記録媒体へ記録し、録音処理を終了する。
【００２５】
図３はステップ５において表示される削除ランキング表の一例を示す。録音する楽曲が１曲で、そのデータ量が３．４８［ＭＢ］の場合について例示している。「録音データ容量」欄の「３．４８ＭＢ」はこの録音ソースのデータ量である。「残り容量」欄の「１．２２ＭＢ」は記録媒体における残容量である。図中の表における「ランク」欄には消去を推奨する順位（ランク）が、「１」から順に表示されている。同表においてはこの順となるように、記録媒体中の各楽曲データがリストアップされ、それぞれについての「容量」、「楽曲名」、「アルバム名」、及び「アーティスト名」が表示されている。「残り容量」欄の「１．２２ＭＢ」に、表中の「容量」欄の各楽曲データの容量を加算した値から「録音データ容量」欄の「３．４８ＭＢ」を減算した値、すなわち録音が完了したときの記録媒体における残容量が少ない楽曲データであるほど、「ランク」欄の順位が高い表中の位置にリストアップされている。
【００２６】
図中の９は選択対象を指示するためのカーソルである。操作部２２における操作によってカーソル９を選択対象とする項目の位置に位置させ、選択指示を行うことによって、選択対象を指示することができるようになっている。
【００２７】
ユーザは、ステップ６の処理において、この削除ランキング表を参
照し、たとえばランクが１位の楽曲「ＮＮＮＮＮＮ」を消去してもかまわないと判断した場合にはこれを選択し、又は楽曲「ＮＮＮＮＮＮ」は残し、２位の「ＢＢＢＢＢＢ」であれば消去してもよいと考えた場合には「ＢＢＢＢＢＢ」を選択することができる。このようにして、ユーザは消去ランキング表を参照することにより容易に、録音完了時の記録媒体における残容量が極力少なくなるように、消去すべき楽曲データを選択することができる。したがって、記録媒体の記憶容量を無駄なく有効に使用することができる。
【００２８】
図４は本発明の別の実施形態に係る削除ランキング表を示す。録音する楽曲が２曲で、その合計データ量が９．２５［ＭＢ］の場合について例示している。図３の削除ランキング表では選択対象を楽曲データ単位としているが、図４の削除ランキング表では、選択単位を１つの楽曲データ単位に限らず、複数楽曲データの組合せをも単位として選択対象とし、ランク毎に選択できるようにしている。システムマイコン２０は、図３のステップ５において、記録媒体中の各楽曲データの種々の組合せをも含め、その合計容量に基づいて、記録後の残容量が小さくなる順にランキングを行い、図４の削除ランキング表を表示する。そして、いずれかのランクの選択が行われた場合には、そのランクに該当する１又は複数の楽曲データをステップ７において消去する。その他の点については上述実施形態の場合と同様である。
【００２９】
本実施形態によれば、複数の楽曲データを単位として選択し、消去することができるようにしたため、削除ランキング表における「録音データ容量」欄の値が大きく、「残り容量」欄の値が小さくて、１つの楽曲データを消去しただけでは足りない場合でも、対処することができる。また、複数の楽曲データを適宜組み合わせて１つの選択対象を構成することができるので、楽曲データ単位のみを選択対象とする場合に比べ、選択肢が増加し、録音完了後の記録媒体における残容量をさらに小さくすることができる。
【００３０】
なお、本発明は上述実施形態に限定されることなく、適宜、変形して実施することができる。たとえば、上述においては、１つ又は複数の楽曲データを単位として消去の対象としているが、さらに、１つ又は複数のフォルダやアルバムに属するファイル全体を消去単位として選択することができるようにして、さらに、消去対象の選択の自由度を拡張するようにしてもよい。また、これら各種の選択単位を混在させて選択することができるようにしてもよい。
【００３１】
また、上述においては、削除ランキング表による選択の対象とする範囲については言及しなかったが、この範囲を指定することができるようにしてもよい。たとえば、削除ランキング表による選択の対象とするフォルダや、アルバムを指定することができるようにして、指定されたフォルダやアルバムに属するファイルやファイルの組合せのみを対象として、ランキングを行い、削除ランキング表に載せて、選択することができるようにしてもよい。
【００３２】
また、上述においては、記録先の媒体として、ＵＳＢメモリ１３やメモリカード１４を用いているが、これらの代わりに、他の外部メモリを用いるようにしてもよい。たとえばポータブルプレーヤ内のメモリを、大容量記憶装置モードにおいて用いるようにしてもよい。また、上述においては記録ソースとして、ハードディスク２３中の楽曲データを用いているが、この代わりに、メモリに記録されている楽曲データや映像コンテンツを用いてもよい。
【００３３】
また、上述においては、ハードディスク２３中の楽曲データを用いているが、この代わりに、ＣＤメカ部１１に装着されたＣＤ中の楽曲トラックを用いてもよい。ただし、この場合、ＣＤからリッピングを行い、記録先媒体へ記録されるデータ形式に変換した場合のデータ容量を、上述実施形態における録音ソースのデータ量として把握する必要がある。すなわち、ＣＤ中の録音対象とするトラックのデータ容量又は時間情報を取得し、これに基づき、そのトラックのデータを、記録先媒体へ記録されるデータ形式、たとえばＭＰ３形式に変換した場合のデータ容量を算出し、この容量を、実際に記録先媒体に記録される録音ソースのデータ量として、図２の処理を行うようにすればよい。
【００３４】
また、上述においては言及しなかったが、図２のステップ６において、選択された消去対象楽曲が、楽曲名のみではどのような楽曲か分からないこともある。そこで、実際に消去する前に、再生の有無の指示を受け入れ、再生が指示された場合には、選択された消去対象楽曲を再生し、その後、消去することを確定する旨の指示があった場合にのみ、当該消去対象楽曲を実際に削除するようにしてもよい。
【図面の簡単な説明】
【００３５】
【図１】本発明の一実施形態に係る録音再生装置の構成を示すブロック図である。
【図２】図１の装置における録音処理を示すフローチャートである。
【図３】図２の処理において表示される削除ランキング表の一例を示す図である。
【図４】本発明の別の実施形態に係る録音再生装置において表示される削除ランキング表の一例を示す図である。
【符号の説明】
【００３６】
９：カーソル、１１：ＣＤメカ部、１２：ＤＳＰ、１３：ＵＳＢメモリ、１４：メモリカード、１５：ＵＳＢコントローラ、１６：メモリカードスロット、１７：ＤＡコンバータ、１８：アンプ部、１９：スピーカ、２０：システムマイコン、２１：表示部、２２：操作部、２３：ハードディスク。
【図１】
2008226403.tif 000003
【図２】
2008226403.tif 000004
【図３】
2008226403.tif 000005
【図４】
2008226403.tif 000006